(57)【特許請求の範囲】
【請求項１】
バイオマスを貯蔵可能な複数のバイオマス貯蔵部と、
複数の前記バイオマス貯蔵部を支持するとともに、複数の前記バイオマス貯蔵部の少なくとも下部を覆う第１の構造体と、
少なくとも一部が前記第１の構造体によって囲まれる空間内における複数の前記バイオマス貯蔵部の下方に位置し、複数の前記バイオマス貯蔵部から排出されるバイオマスを搬送するバイオマス用コンベアと、
石炭を貯蔵可能な複数の石炭貯蔵部と、
複数の前記石炭貯蔵部から排出される石炭を搬送する石炭用コンベアと、
前記バイオマス用コンベアによって搬送されたバイオマスと前記石炭用コンベアによって搬送された石炭を搬送する共用コンベアと、を備え、
前記バイオマス用コンベアは、複数配置され、
複数の前記バイオマス用コンベアのうちの１つである第１のバイオマス用コンベアが第２のバイオマス用コンベアよりも前記共用コンベアにおけるバイオマスの搬送経路の下流側に配置され、
前記第１の構造体内における複数の前記バイオマス貯蔵部の下部と複数の前記バイオマス用コンベアが位置する空間は互いに連通する貯蔵設備。
【請求項２】
前記共用コンベアは、前記バイオマス用コンベア及び前記石炭用コンベアの設置面よりも下方に位置する請求項１に記載の貯蔵設備。
【請求項３】
前記共用コンベアを外部から隔離するように覆う第２の構造体をさらに備える請求項１又は２に記載の貯蔵設備。
【発明の詳細な説明】
【技術分野】
【０００１】
本発明は、貯蔵設備に関する。
【背景技術】
【０００２】
従来、バイオマスを燃料として用いる火力発電所等の設備が知られている。この種の技術を示すものとして例えば特許文献１から５がある。特許文献１には、籾殻と該籾殻以外のバイオマスを混合し粉砕してなる固体燃料をボイラ等の燃焼設備に供給する設備が記載されている。特許文献２には、バイオマス貯蔵設備と石炭貯蔵設備を備える設備が記載されている。特許文献３から５には、バイオマスと石炭の両方を搬送するコンベア等の搬送ラインを備える設備が記載されている。
【先行技術文献】
【特許文献】
【０００３】
【特許文献１】特開２００８−２０８３６０号公報
【特許文献２】特開２０１２−９３０２４号公報
【特許文献３】特開２０１２−９３００７号公報
【特許文献４】特開２００８−８２６５１号公報
【特許文献５】特開２００８−２１５７１０号公報
【発明の概要】
【発明が解決しようとする課題】
【０００４】
ところで、バイオマスは石炭等の燃料に比べて軽く、バイオマス貯蔵部からバイオマスの排出時や搬送時に空気中に舞い上がり易い。特許文献１、３の設備では、コンベアでの搬送時にバイオマスが空気中に舞い上がり、バイオマスを効率的に搬送することが困難である。特許文献２には、バイオマス貯蔵設備からのバイオマスの排出時や搬送時にバイオマスの外部への飛散を防止する手段について記載されていない。特許文献４、５の設備では、コンベアに乗せられたバイオマスの上に石炭を投入する構成であるので、搬送中におけるバイオマスの空気中への飛散を抑制する効果が期待できる。しかし、特許文献４、５には、バイオマス貯蔵部からコンベアへの投入時にバイオマスの外部への飛散を防止する手段について記載されておらず、施設外への漏出を抑制するという点で改善の余地がある。【０００５】
本発明は、上記に鑑みてなされたものであり、施設外へのバイオマスの漏出を抑制しつつ、貯蔵されたバイオマスを効率的に搬送できる貯蔵設備を提供することを目的とする。
【課題を解決するための手段】
【０００６】
本発明は、バイオマスを貯蔵可能な複数のバイオマス貯蔵部と、複数の前記バイオマス貯蔵部の少なくとも下部を覆う第１の構造体と、少なくとも一部が前記第１の構造体によって囲まれる空間内における複数の前記バイオマス貯蔵部の下方に位置し、複数の前記バイオマス貯蔵部から排出されるバイオマスを搬送するバイオマス用コンベアと、石炭を貯蔵可能な複数の石炭貯蔵部と、複数の前記石炭貯蔵部から排出される石炭を搬送する石炭用コンベアと、前記バイオマス用コンベアによって搬送されたバイオマスと前記石炭用コンベアによって搬送された石炭を搬送する共用コンベアと、を備える貯蔵設備に関する。【０００７】
前記共用コンベアは、前記バイオマス用コンベア及び前記石炭用コンベアの設置面よりも下方に位置する。【０００８】
前記共用コンベアを外部から隔離するように覆う第２の構造体をさらに備える。
【発明の効果】
【０００９】
本発明によれば、施設外へのバイオマスの漏出を抑制しつつ、貯蔵されたバイオマスを効率的に搬送できる貯蔵設備を提供することができる。
【図面の簡単な説明】
【００１０】
【図１】本発明の一実施形態に係る貯蔵設備を示す平面図である。
【図２】本発明の一実施形態に係る貯蔵設備のバイオマス貯蔵エリアの断面図である。
【図３】本発明の一実施形態に係る貯蔵設備の石炭貯蔵エリアの断面図である。
【発明を実施するための形態】
【００１１】
以下、本発明の実施形態について、図面を参照しながら説明する。ただし、本発明は以下の実施形態に限定されるものではない。
【００１２】
本発明の一実施形態に係る貯蔵設備１について説明する。図１は貯蔵設備１を示す平面図である。図２は貯蔵設備１のバイオマス貯蔵エリア１０を図１に示すＡ−Ａ線で切断した断面図である。図３は貯蔵設備１の石炭貯蔵エリア２０を図１に示すＢ−Ｂ線で切断した断面図である。なお、図１では第２の構造体３１の上壁部３１２の開口部３１６の図示を省略しており、図２ではバイオマス貯蔵部１１の内部の図示を省略しており、図３では石炭貯蔵部２１の内部の図示を省略している。
【００１３】
本実施形態に係る貯蔵設備１は、火力発電所において、燃料であるバイオマス２及び石炭３を貯蔵し、貯蔵したバイオマス２及び石炭３を燃焼設備（図示省略）に供給するための設備である。
【００１４】
バイオマス２としては、例えば、廃材や間伐材、籾殻等から得られる木質ペレット等の植物系のバイオマスが挙げられる。
【００１５】
貯蔵設備１は、バイオマス貯蔵部１１と、バイオマス用コンベア１２と、第１の構造体１３と、石炭貯蔵部２１と、石炭用コンベア２２と、第２の構造体３１と、共用コンベア３２と、を備える。図１に示すように、貯蔵設備１は、主にバイオマス貯蔵エリア１０と石炭貯蔵エリア２０と燃料搬送エリア３０の３つの領域に分けられる。また、貯蔵設備１における燃料の搬送経路は、バイオマス用コンベア１２と、石炭用コンベア２２と、共用コンベア３２の３つの経路に分けられる。
【００１６】
バイオマス貯蔵エリア１０は、バイオマス２が貯蔵される領域である。バイオマス貯蔵エリア１０には、複数のバイオマス貯蔵部１１と、複数のバイオマス用コンベア１２と、第１の構造体１３が設置される。本実施形態では、バイオマス貯蔵エリア１０には、１６基のバイオマス貯蔵部１１と、２本のバイオマス用コンベア１２と、第１の構造体１３が設置される。
【００１７】
バイオマス貯蔵部１１は、バイオマス２が貯蔵されるタンクである。図１に示すように、本実施形態では、１６基のバイオマス貯蔵部１１が２列に並べられる。そして、１列毎に８基のバイオマス貯蔵部１１が並列に設置される。
【００１８】
図１及び図２に示すように、バイオマス貯蔵部１１は、上側に円筒形状に形成される円筒部１１１と、下側に中空の略逆円錐形状に形成される円錐部１１２を有する。円錐部１１２の下部１１３には、バイオマス貯蔵部１１の内部に貯蔵されたバイオマス２が排出される排出口１１４が形成される。
【００１９】
第１の構造体１３は、コンクリートで形成され、１６基のバイオマス貯蔵部１１の少なくとも下部１１３を覆う。第１の構造体１３は、略直方体形状の箱型である。第１の構造体１３は、底壁部１３１と、上壁部１３２と、側壁部１３３，１３４，１３５，１３６と、を有する。第１の構造体１３の内部には、底壁部１３１、上壁部１３２、側壁部１３３〜１３６によって囲まれた空間Ｓ１が形成される。
【００２０】
底壁部１３１は、第１の構造体１３の土台である。底壁部１３１は、平面視で８基のバイオマス貯蔵部１１が並列する方向に長い略長方形状に形成される。
【００２１】
側壁部１３３は、底壁部１３１の長手方向の端辺の一方（図２では紙面奥側）から上方に立ち上がる壁である。側壁部１３４は、底壁部１３１の長手方向の端辺の他方（図２では紙面手前側）から上方に立ち上がる壁である。側壁部１３３と側壁部１３４は、互いに対向する位置に形成される。
【００２２】
側壁部１３５は、底壁部１３１の短手方向の端辺の一方（図２では紙面右側）から上方に立ち上がる壁である。側壁部１３５には、空間Ｓ１と外部を連通する開口部１３７が２箇所に形成される。具体的には、開口部１３７は、側壁部１３５側のバイオマス貯蔵部１１の下部１１３の近傍に形成される。また、側壁部１３５には、各開口部１３７に開口部１３７を開閉可能な扉体１４が配置される。扉体１４は、空間Ｓ１に出入りするための点検用シャッタである。空間Ｓ１に出入り可能な扉体１４を側壁部１３５に設けることで、貯蔵設備１の施設外からバイオマス貯蔵部１１の下部１１３へのアクセスが容易になる。
【００２３】
側壁部１３６は、底壁部１３１の短手方向の端辺の他方（図２では紙面左側）から上方に立ち上がる壁である。側壁部１３５と側壁部１３６は、互いに対向する位置に形成される。側壁部１３６には、空間Ｓ１と外部を連通する開口部１３８が２箇所に形成される。具体的には、開口部１３８は、側壁部１３６側のバイオマス貯蔵部１１の下部１１３の近傍に形成される。
【００２４】
上壁部１３２は、第１の構造体１３の上面を形成する略直方体形状の壁である。上壁部１３２は、平面視において底壁部１３１と略等しいサイズに形成される。上壁部１３２の下面には、側壁部１３３〜１３６の上端が連結される。即ち、側壁部１３３〜１３６は、底壁部１３１と上壁部１３２の端辺の間を上下方向に延びる。
【００２５】
上壁部１３２には、１６個の嵌合孔１３９が形成される。嵌合孔１３９は、８個ずつ２列に並ぶように間隔を空けて上壁部１３２に形成される。１６個の嵌合孔１３９は、１６基のバイオマス貯蔵部１１に対応する位置に形成される。各嵌合孔１３９は、略逆円錐形状であり、バイオマス貯蔵部１１の円錐部１１２に嵌合可能に形成される。バイオマス貯蔵部１１は、円錐部１１２が嵌合孔１３９に嵌合されることによって第１の構造体１３に支持される。
【００２６】
バイオマス用コンベア１２は、複数のバイオマス貯蔵部１１から排出されるバイオマス２を燃料搬送エリア３０に搬送する。図１に示すように、２本のバイオマス用コンベア１２のそれぞれは、少なくとも一部が第１の構造体１３の空間Ｓ１内に位置し、８基のバイオマス貯蔵部１１が並列する方向に延びる。具体的には、２本のバイオマス用コンベア１２のそれぞれは、８基のバイオマス貯蔵部１１の排出口１１４の下方に位置するように底壁部１３１の上面（設置面）Ｇ１に設置される。なお、底壁部１３１の上面Ｇ１は、地面Ｇと略同じ高さに位置する。
【００２７】
バイオマス用コンベア１２は、第１の構造体１３の側壁部１３５の近傍から開口部１３８を通り、燃料搬送エリア３０まで延びる。具体的には、バイオマス用コンベア１２は、その始端部が側壁部１３５側のバイオマス貯蔵部１１の下部１１３の下方に位置し、その終端部が共用コンベア３２の上方に位置する。本実施形態に係る貯蔵設備１では、１本のバイオマス用コンベア１２によって８基のバイオマス貯蔵部１１に貯蔵されたバイオマス２が燃料搬送エリア３０に搬送される。これにより、複数のバイオマス貯蔵部１１に貯蔵されたバイオマス２を簡素的な構成で効率的に払い出すことができる。
【００２８】
石炭貯蔵エリア２０は、石炭３が貯蔵される領域である。石炭貯蔵エリア２０は、バイオマス貯蔵エリア１０よりも燃料の搬送経路における下流側（燃焼設備側）に位置する。石炭貯蔵エリア２０には、複数の石炭貯蔵部２１と、複数の石炭用コンベア２２が設置される。本実施形態では、バイオマス貯蔵エリア１０には、６基の石炭貯蔵部２１と、２本の石炭用コンベア２２が設置される。
【００２９】
石炭貯蔵部２１は、石炭３が貯蔵されるタンクである。図１に示すように、本実施形態では、６基の石炭貯蔵部２１が２列に並べられる。そして、１列毎に３基の石炭貯蔵部２１が並列に設置される。図１及び図３に示すように、石炭貯蔵部２１は、上部が中空の円錐形状であり、中央部から下部にかけて円筒状である。
【００３０】
石炭用コンベア２２は、複数の石炭貯蔵部２１から排出される石炭３を燃料搬送エリア３０に搬送する。図１に示すように、石炭用コンベア２２は、バイオマス用コンベア１２よりも燃料の搬送経路における下流側に位置する。また、図１に示すように、２本の石炭用コンベア２２のそれぞれは、３基の石炭貯蔵部２１が並列する方向に延びる。具体的には、２本の石炭用コンベア２２のそれぞれは、設置面Ｇ２に設置され、３基の石炭貯蔵部２１の内部を通り、燃料搬送エリア３０に延びる。
【００３１】
石炭用コンベア２２は、その始端部が燃料搬送エリア３０から最も離れた石炭貯蔵部２１の内部に位置し、その終端部が共用コンベア３２の上方に位置する。本実施形態に係る貯蔵設備１では、１本の石炭用コンベア２２によって３基の石炭貯蔵部２１に貯蔵された石炭３が燃料搬送エリア３０に搬送される。これにより、複数の石炭貯蔵部２１に貯蔵された石炭３を簡素的な構成で効率的に払い出すことができる。
【００３２】
燃料搬送エリア３０は、バイオマス２及び石炭３を燃焼設備に搬送するエリアである。燃料搬送エリア３０には、共用コンベア３２と第２の構造体３１が設置される。
【００３３】
共用コンベア３２は、バイオマス用コンベア１２によって搬送されたバイオマス２と石炭用コンベア２２によって搬送された石炭３を燃料の搬送経路における下流側の燃焼設備に搬送する。図２及び図３に示すように、共用コンベア３２は、バイオマス用コンベア１２の設置面Ｇ１及び石炭用コンベア２２の設置面Ｇ２よりも下方に位置する。共用コンベア３２は、２本のバイオマス用コンベア１２の終端部の下方及び２本の石炭用コンベア２２の終端部の下方を通るように燃料設備に向かって延びる。共用コンベア３２は、１又は複数のコンベアによって構成される。例えば、共用コンベア３２上に落下したバイオマス２と石炭３は、共用コンベア３２の複数のコンベアを乗り継ぎながら燃焼設備まで搬送される。
【００３４】
第２の構造体３１は、全体として略角筒状であり、コンクリートで形成される。第２の構造体３１は、共用コンベア３２を外部から隔離するように覆う。第２の構造体３１は、底壁部３１１と、上壁部３１２と、側壁部３１３，３１４を有する。第２の構造体３１の内部には、底壁部３１１と上壁部３１２と側壁部３１３，３１４によって囲まれた空間Ｓ２が形成される。
【００３５】
底壁部３１１は、第２の構造体３１の土台であり、第１の構造体１３の底壁部１３１よりも下方に位置する。底壁部３１１は、平面視で共用コンベア３２が延びる方向に長い略長方形状に形成される。底壁部３１１の上面には、共用コンベア３２が設置される。
【００３６】
側壁部３１３は、底壁部３１１の長手方向の端辺の一方（図２及び図３では紙面左側）から上方に立ち上がる壁である。
【００３７】
側壁部３１４は、底壁部３１１の長手方向の端辺の他方（図２及び図３では紙面右側）から上方に立ち上がる壁である。側壁部３１３と側壁部３１４は、互いに対向する位置に形成される。
【００３８】
側壁部３１４には、空間Ｓ２と外部を連通する開口部３１５が４箇所に形成される。具体的には、開口部３１５は、２本のバイオマス用コンベア１２と２本の石炭用コンベア２２が延びる位置に配置される。図１及び図２に示すように、バイオマス用コンベア１２は、第１の構造体１３の空間Ｓ１から開口部１３８及び開口部３１５を通って、第２の構造体３１の空間Ｓ２に延びる。バイオマス用コンベア１２の終端部は、空間Ｓ２内に位置する。図１及び図３に示すように、石炭用コンベア２２は、石炭貯蔵部２１の内部から開口部３１５を通って、第２の構造体３１の空間Ｓ２に延びる。石炭用コンベア２２の終端部は、空間Ｓ２内に位置する。
【００３９】
上壁部３１２は、第２の構造体３１の上面を形成する略直方体形状の壁である。上壁部３１２は、平面視において底壁部３１１と略等しいサイズに形成される。上壁部３１２の下面には、側壁部３１３，３１４の上端が連結される。即ち、側壁部３１３，３１４は、底壁部３１１と上壁部３１２の長手方向の端辺の間を上下方向に延びる。上壁部３１２には、開口部３１６が形成される。
【００４０】
次に、バイオマス貯蔵部１１に貯蔵されたバイオマス２と石炭貯蔵部２１に貯蔵された石炭３が燃焼設備に搬送される工程の一例について説明する。
【００４１】
複数のバイオマス貯蔵部１１に貯蔵されたバイオマス２が、排出口１１４からバイオマス用コンベア１２上に排出される。このとき、図２に示すように、排出口１１４を含むバイオマス貯蔵部１１の下部１１３が第１の構造体１３に覆われているので、バイオマス用コンベア１２上に落下したバイオマス２が空気中に舞い上がっても、外部に飛散され難く、貯蔵設備１の施設外への漏出を抑制できる。
【００４２】
図２に示すように、バイオマス用コンベア１２上のバイオマス２は、開口部１３８及び開口部３１５を通って第２の構造体３１の空間Ｓ２に搬送され、バイオマス用コンベア１２の終端部から共用コンベア３２上に落下する。共用コンベア３２上に落下したバイオマス２は、燃焼設備に向かって搬送される。
【００４３】
複数の石炭貯蔵部２１に貯蔵された石炭３は、石炭用コンベア２２に排出される。図３に示すように、石炭用コンベア２２上の石炭３は、開口部３１５を通って第２の構造体３１の空間Ｓ２に搬送され、石炭用コンベア２２の終端部から共用コンベア３２上に落下する。共用コンベア３２上に落下した石炭３は、バイオマス２とともに燃焼設備に向かって搬送される。このとき、図３に示すように、石炭３は、共用コンベア３２上のバイオマス２の上部に落下する。これにより、バイオマス２が石炭３に覆われながら共用コンベア３２によって搬送されるので、バイオマス２が空気中に舞い上がることを防止できる。
【００４４】
上記バイオマス２及び石炭３の搬送工程の一例では、バイオマス２と石炭３を同時に共用コンベア３２で搬送しているが、バイオマス２と石炭３をそれぞれ異なるタイミングで搬送してもよい。即ち、バイオマス２と石炭３をそれぞれ単独で燃焼設備に搬送してもよい。
【００４５】
以上説明した本実施形態に係る貯蔵設備１によれば、以下のような効果を奏する。
【００４６】
本実施形態に係る貯蔵設備１は、バイオマス２を貯蔵可能な複数のバイオマス貯蔵部１１と、複数のバイオマス貯蔵部１１の少なくとも下部を覆う第１の構造体１３と、少なくとも一部が第１の構造体１３によって囲まれる空間Ｓ１内における複数のバイオマス貯蔵部１１の下方に位置し、複数のバイオマス貯蔵部１１から排出されるバイオマス２を搬送するバイオマス用コンベア１２と、石炭３を貯蔵可能な複数の石炭貯蔵部２１と、バイオマス用コンベア１２よりも下流側に位置し、複数の石炭貯蔵部２１から排出される石炭３を搬送する石炭用コンベア２２と、バイオマス用コンベア１２によって搬送されたバイオマス２と石炭用コンベア２２によって搬送された石炭３を搬送する共用コンベア３２と、を備える。
【００４７】
これにより、バイオマス貯蔵部１１の下部１１３が第１の構造体１３に覆われるので、バイオマス用コンベア１２上に排出されたバイオマス２が空気中に舞い上がっても外部への飛散を抑制できる。また、複数のバイオマス貯蔵部１１から排出されるバイオマス２をまとめて搬送するバイオマス用コンベア１２を備えるので、簡素的な構成でバイオマス２を効率的に払い出すことができる。また石炭用コンベア２２がバイオマス用コンベア１２よりも下流側に位置するので、共用コンベア３２上にバイオマス２が先に乗り、バイオマス２の上に石炭３が投入される。よって、バイオマス２が石炭３に覆われながら搬送されるので、搬送時におけるバイオマス２の空気中への飛散を防止でき、効率的にバイオマス２を搬送できる。よって、貯蔵設備１の施設外へのバイオマス２の漏出を抑制しつつ、貯蔵されたバイオマス２を効率的に搬送できる。
【００４８】
本実施形態に係る貯蔵設備１において、共用コンベア３２は、バイオマス用コンベア１２及び石炭用コンベア２２の設置面Ｇ１，Ｇ２よりも下方に位置する。
【００４９】
これにより、バイオマス用コンベア１２から共用コンベア３２へのバイオマス２投入時におけるバイオマス２の施設外への漏出を防止できる。
【００５０】
本実施形態に係る貯蔵設備１は、共用コンベア３２を外部から隔離するように覆う第２の構造体３１をさらに備える。
【００５１】
これにより、第２の構造体３１によって共用コンベア３２が外部から隔離されるので、共用コンベア３２でのバイオマス搬送時におけるバイオマス２の施設外への漏出をより確実に防止できる。
【００５２】
以上、本発明の実施形態について説明したが、本発明は、上記実施形態に制限されるものではなく適宜変更が可能である。
【００５３】
上記実施形態では、貯蔵設備１は１６基のバイオマス貯蔵部１１を備えていたが、バイオマス貯蔵部１１の数は２基以上であれば特に制限されない。例えば、貯蔵設備１が備えるバイオマス貯蔵部１１の数は２基から１５基であってもよく、１７基以上であってもよい。
【００５４】
上記実施形態では、貯蔵設備１は２本のバイオマス用コンベア１２を備えていたが、バイオマス用コンベア１２の数は特に限定されない。例えば、貯蔵設備１が備えるバイオマス用コンベア１２の数は１本であってもよく、３本以上であってもよい。
【００５５】
上記実施形態では、貯蔵設備１は６基の石炭貯蔵部２１を備えていたが、石炭貯蔵部２１の数は２基以上であれば特に制限されない。例えば、貯蔵設備１が備える石炭貯蔵部２の数は３基から５基であってもよく、７基以上であってもよい。
【００５６】
上記実施形態では、貯蔵設備１は２本の石炭用コンベア２２を備えていたが、石炭用コンベア２２の数は特に限定されない。例えば、貯蔵設備１が備える石炭用コンベア２２の数は１本であってもよく、３本以上であってもよい。
【００５７】
上記実施形態では、第１の構造体１３は箱型であったが、その形状は特に限定されない。例えば、第１の構造体１３は底壁部１３１を有しない断面視で略逆凹形状であってもよい。また、第１の構造体１３は、複数に分割された構造物から形成されるものであっても、１つの構造物から形成されるものであってもよい。
【００５８】
上記実施形態では、第２の構造体３１は全体として略角筒状であったが、その形状は特に限定されない。例えば、第２の構造体３１は底壁部３１１を有しない断面視で略逆凹形状であってもよく、底壁部３１１及び上壁部３１２を有せず、側壁部３１３，３１４が地面から立設する構造であってもよい。また、第２の構造体３１は、複数に分割された構造物から形成されるものであっても、一つの構造物から形成されるものであってもよい。
【００５９】
上記実施形態では、石炭用コンベア２２がバイオマス用コンベア１２よりも燃料の搬送経路における下流側に位置していたが、石炭用コンベア２２がバイオマス用コンベア１２よりも燃料の搬送経路における上流側に位置してもよい。
【符号の説明】
【００６０】
１  貯蔵設備
２  バイオマス
３  石炭
１１  バイオマス貯蔵部
１２  バイオマス用コンベア
１３  第１の構造体
１１３  下部
２１  石炭貯蔵部
２２  石炭用コンベア
３２  共用コンベア
Ｓ１  空間
【要約】
貯蔵設備１は、バイオマス２を貯蔵可能な複数のバイオマス貯蔵部１１と、複数のバイオマス貯蔵部１１の少なくとも下部１１３を覆う第１の構造体１３と、少なくとも一部が第１の構造体１３によって囲まれる空間Ｓ１内における複数のバイオマス貯蔵部１１の下方に位置し、複数のバイオマス貯蔵部１１から排出されるバイオマス２を搬送するバイオマス用コンベア１２と、石炭３を貯蔵可能な複数の石炭貯蔵部２１と、複数の石炭貯蔵部２１から排出される石炭３を搬送する石炭用コンベア２２と、バイオマス用コンベア１２によって搬送されたバイオマス２と石炭用コンベア２２によって搬送された石炭３を搬送する共用コンベア３２と、を備える。【図１】
0006954495.tif 000002
【図２】
0006954495.tif 000003
【図３】
0006954495.tif 000004